(57)【要約】【課題】マラソンやスポーツ大会等のイベントあるいは地震等の災害時に組み立て設定が簡単で、使い勝手が良い、セルフ式の組み立て式簡易トイレを提供する。【解決手段】横長略長方形のダンボール板上部を、袋掛け部及び袋置き台部を形成するような所定の形に加工し、複数の折り線を設けてその折線を折り曲げて立方体としたものを小便器とし、別途、仕切り壁板及び底板を組み合わせ、仕切り壁板の一方に、汚物袋を仕切り壁の外側に排出するための汚物袋投入口を設けたものを仕切り壁とし、該仕切り壁の中に、前記小便器を設置した、セルフ式簡易トイレ。【選択図】図１
2009233336.tif 000002
【特許請求の範囲】
【請求項１】
横長略長方形のダンボール板上部を、袋掛け部及び袋置き台部を形成するような所定の形に加工し、所定の折り線を設けてその折線を折り曲げて立方体としたものを小便器とし、
別途、仕切り壁板及び底板を組み合わせ、仕切り壁板の一方に、汚物袋を仕切り壁の外側に排出するための汚物袋投入口を設けたものを仕切り壁とし、
該仕切り壁の中に、前記小便器を設置した、男性用の、セルフ式簡易トイレ。
【請求項２】
上部の便座Ａのダンボール板と下部の便座Ｂのダンボール板とを所定の折り線により折り曲げてこれを組み合わせて便器とし
別途、ダンボール板を所定の形に加工して三方の壁及び底板並びに一方の扉を連結具により連結して個室を形成し、壁の一方に汚物袋を仕切り壁の外側に排出するための汚物袋投入口を設けてこれをトイレルームとし、
該トイレルームの中に上記便器を設置した、男女共用の、セルフ式簡易トイレ。
【請求項３】
請求項１の組み立て式簡易トイレにおいて、各仕切り壁を複数連結穴にて連結具により連結して多連式とした、男性用の、セルフ式簡易トイレ。
【請求項４】
請求項１、請求項２又は請求項３の組み立て式簡易トイレにおいて、用便袋を装着する小便器又は便器に、用便袋装着前、用便袋が装着された時点、用便終了時点を認知し、又は周辺に人体が接近したときにセンサーが感知して各使用状況を識別表示される、各種センサーの感知データと、監視カメラを設置してその映像データとをインターネットを介して解析して、システム管理者が対応する、セルフ式簡易トイレシステム。
【発明の詳細な説明】
【技術分野】
【０００１】  本発明は、マラソン等のスポーツや野外イベント、地震や災害等の緊急時や行楽地等に手軽に設営でき、衛生的に処理できる、セルフ式簡易トイレに関するものである。
【背景技術】
【０００２】  従来、マラソン等人が大勢集まるスポーツイベントではプレハブ式の簡易トイレが設営されているが、数は充分ではなく、設営の費用も嵩む。
また、地震や災害等の緊急時にはプレハブ式の簡易トイレが設営されるが、例えば地震では道路が寸断され、プレハブ式の簡易トイレが現地に届くまでに時間がかかり緊急時に間に会わない状況もある。
そのために、ダンボール製の組み立て式簡易トイレがいろいろ提案されている。
例えば、下記のような文献がある。【０００３】
【特許文献１】  特開平１０−１９２１８９
【特許文献２】  特許第３７７０６９９号
【発明の開示】
【発明が解決しようとする課題】
【０００４】  特開平１０−１９２１８９においては、１枚のダンボール板に折り目線や切り込みを入れて立体的に組み立てることによってアーチ型の簡易トイレとしてイベントや緊急時に使えるようにしたものである。
これは、便座の上面をアーチ型とすることにより、堅牢性を持たせ、女性でも問題なく使用できるものとしている。その点では優れたものといえる。
しかし、この構造は素人には組み立てが難しく、緊急時には手間がかかりすぎるので、あらかじめ組み立てた状態で販売しなければならず、輸送コストや保管場所等の問題で難点がある。
特許第３７７０６９９号においては、直線的な所定の形に加工した多数のダンボール板をジョイントで結束した構造としている。
これは堅牢な点では優れたものといえるが、これもやはり組み立てに手間がかかり、あらかじめ組み立てた状態で販売しなければならないので、輸送コストや保管場所等の問題で難点がある。
そこで、当出願人は、特願２００８−０９８７２５において、組み立てが簡単で折りたたんだ状態で持ち運べるので、輸送コストも安い組み立て式簡易トイレを提案した。
この組み立て式簡易トイレを実際のマラソン大会において使用してみた結果、いろいろの問題点が判明した。
その大きな問題は、一つの用便袋を複数の人が使用するために衛生面での問題があり使用感も悪いこと、又これを処理する人の負担感が大きいということである。
そこで、上記の問題を踏まえ、本出願においては、一人ひとりが用便袋を使用して、自分でその用便袋を処理する、セルフ式簡易トイレとしたものである。
【課題を解決するための手段】
【０００５】  本発明は、男性用のセルフ式簡易トイレと男女共用のセルフ式簡易トイレとからなる。
請求項１は、横長略長方形のダンボール板上部を、袋掛け部及び袋置き台部を形成するような所定の形に加工し、複数の折り線を設けてその折線を折り曲げて立方体としたものを小便器とする。
別途、仕切り壁板及び底板を組み合わせ、仕切り壁板の一方に、用便袋を仕切り壁の外側に排出するための用便袋投入口を設けたものを仕切り壁とし、
該仕切り壁の中に、前記小便器を設置した、男性用の、セルフ式簡易トイレである。
請求項２は、上部の便座Ａのダンボール板と下部の便座Ｂのダンボール板とを所定の折り線により折り曲げてこれを組み合わせて便器とする。
別途、ダンボール板を所定の形に加工して三方の壁及び底板並びに一方の扉を連結具により連結して個室を形成し、壁の一方に汚物袋を仕切り壁の外側に排出するための汚物袋投入口を設けてこれをトイレルームとする。
該トイレルームの中に上記便器を設置した、男女共用の、セルフ式簡易トイレである。
また、請求項３は、男性用のセルフ式簡易トイレにおいて、仕切り壁の連結穴を連結具で連結することにより、多連式のセルフ式簡易トイレとしたものである。
さらに、請求項１、請求項２又は請求項３のセルフ式簡易トイレにおいて、用便袋を装着する小便器又は便器に、用便袋装着前、用便袋が装着された時点、用便終了時点を認知し、又は周辺に人体が接近したときにセンサーが感知して各使用状況を識別表示される、各種センサーの感知データと、監視カメラを設置してその映像データとをインターネットを介して解析して、システム管理者が対応する、セルフ式簡易トイレシステムとすることもできる。
【発明の効果】
【０００６】  本発明の最大の特徴は、一人ひとりのセルフ式としたことである。即ち用便する人が水分吸収体入りの用便袋を自分でセットし、用便後はその用便袋の口を結んで用便袋投入口より投入する。用便袋は投入口から外側に落ちて、その下にセットされた用便袋受け箱に投下される。こうすることにより、用便袋の処理が簡単で、衛生的に扱うことができる。また、簡易トイレを綺麗に保つことができるので、大勢の人が使用しても衛生的で気持ちよく使用できる。
また、各種センサー及び監視カメラによるシステムを取り入れた場合は、さらに衛生的に気持ちよく使用できる。
本発明は、構造が簡単で、組み立て分解も容易なので、折りたたんだ状態で運搬、保管ができ、輸送コストが安く、保管場所も少なくて済み、誰でも現地で組み立てができる。
また、仕切り壁やトイレルームを設けることにより羞恥心なく使用できるので、マラソン等のイベントや地震等の災害時にも違和感なく使用できる。
さらに、仕切り壁の連結穴を連結具で連結することにより、多連式の組み立て式簡易トイレとして使用することもできるので狭い場所に多数設置できて便利である。
使用した後の撤去や後始末も簡単で、用便袋やダンボールは可燃ごみとして処分することができる。
【発明を実施するための最良の形態】
【０００７】  本発明は、男性用のセルフ式簡易トイレと男女共用のセルフ式簡易トイレとからなっているので、まず請求項１の男性用のセルフ式簡易トイレから説明する。
図１は、男性用のセルフ式簡易トイレ（１）の完成図である。
小便器（２）は、図２に示すようなダンボール板を折り線（破線で示す、以下同じ）で折り曲げて立体的な形に加工する。上部に２ヶ所の袋掛け部（２ａ）と，中に袋置き台部（２ｂ）が形成される。
他方、仕切り壁板（３）と底板（４）を連結具により連結し、仕切り壁が形成される。仕切り壁板（３）には、用便袋投入口（５）を取り付ける。これにより、用便袋投入口（５）に投入された用便袋は、外側に設置された受け箱に投下する。
図３に仕切り壁板（３）の展開図、図４に底板（４）の展開図、図５に用便袋投入口（５）の展開図を示す。
図６は男性用のセルフ式簡易トイレ（１）を連設した場合の状態を示したものである。【０００８】  次に、請求項２の男女共用のセルフ式簡易トイレについて説明する。
男女共用のセルフ式簡易トイレ（１０）は、便器（１１）とトイレルーム（１４）とからなっている。
便器（１１）は、上部の便座Ａ（１２）と下部の便座Ｂ（１３）とを組み合わせたものである。便座Ａ（１２）の両側にアーチ部（１２ｃ）を設けることにより、前袋掛け部（１２ａ）及び後袋掛け部（１２ｂ）が形成される。
図７にこの過程を示す。また、図１０に便座Ａ（１２）の展開図を、図１１に便座Ｂ（１３）の展開図を示す。
トイレルーム（１４）は、壁Ａ（１５）、壁Ｂ（１６）、壁Ｃ（１７）、扉（１８）及び底板（１９）を所定の形に加工し、折り線により折り曲げて成形し、連結具により連結してトイレルーム（１４）を形成する。壁Ａ（１５）の用便袋投入口穴（１５ａ）に用便袋投入口（２０）を取り付ける。必要に応じて、天井（２１）を取り付ける。
図１２に壁Ａ（１５）の展開図を、図１３に壁Ｂ（１６）の展開図を、図１４に壁Ｃ（１７）の展開図を、図１５に扉（１８）の展開図を、図１６に底板（１９）の展開図を、図１７に用便袋投入口（２０）の展開図を、図１８に天井（２１）の展開図をそれぞれ示す。【０００９】  請求項４に記載した、センサー及び監視カメラ並びにコンピュータによる管理システムは、市販の方式を組み合わせることで達成できる。【００１０】  用便袋は、市販のレジ袋が使用できる。用便袋の中に水分吸収体を入れて使用する。
水分吸収体は、古紙を解繊した綿状のものや海綿体あるいは発泡樹脂性のもの等水分を吸収するものであればよい。【００１１】  本発明はセルフ式なので、使用するときは、男性用のセルフ式簡易トイレ（１）の場合には、水分吸収体の入った用便袋の持ち手を、小便器（２）の左右の袋掛け部（２ａ）に掛けて開き、前後もよく開いてから用を足す。用便後は、用便袋の持ち手をしっかり結んで、これを用便袋投入口（５）に投入する。用便袋は、外側に置かれた用便袋受け箱の中に落下する。
男女共用のセルフ式簡易トイレ（１０）の場合には、前袋掛け部（１２ａ）と後袋掛け部（１２ｂ）に掛けて開き、左右もよく開いてから用を足す。用便後は、男性用のセルフ式簡易トイレ（１）の場合と同様に処理する。
【図面の簡単な説明】
【００１２】
【図１】  男性用のセルフ式簡易トイレの斜視図
【図２】  小便器の展開図
【図３】  仕切り壁板の展開図
【図４】  底板の展開図
【図５】  用便袋投入口の展開図
【図６】  男性用のセルフ式簡易トイレの展開図
【図７】  便器の組み立て工程図
【図８】  男女共用のセルフ式簡易トイレの斜視図
【図９】  トイレルームの斜視図
【図１０】  便座Ａの展開図
【図１１】  便座Ｂの展開図
【図１２】  壁Ａの展開図
【図１３】  壁Ｂの展開図
【図１４】  壁Ｃの展開図
【図１５】  扉の展開図
【図１６】  底板の展開図
【図１７】  用便袋投入口の展開図
【図１８】  天井の展開図
【符号の説明】
【００１３】  １  男性用のセルフ式簡易トイレ
２  小便器
２ａ袋掛け部
２ｂ袋置き台部
３  仕切り壁板
３ａ用便袋投入口穴
４  底板
５  用便袋投入口
１０  男女共用のセルフ式簡易トイレ
１１  便器
１２  便座Ａ
１２ａ前袋掛け部
１２ｂ後袋掛け部
１２ｃアーチ部
１３  便座Ｂ
１４  トイレルーム
１５  壁Ａ
１５ａ用便袋投入口穴
１６  壁Ｂ
１７  壁Ｃ
１８  扉
１９  底板
２０  用便袋投入口
２１  天井
【図１】
2009233336.tif 000003
【図２】
2009233336.tif 000004
【図３】
2009233336.tif 000005
【図４】
2009233336.tif 000006
【図５】
2009233336.tif 000007
【図６】
2009233336.tif 000008
【図７】
2009233336.tif 000009
【図８】
2009233336.tif 000010
【図９】
2009233336.tif 000011
【図１０】
2009233336.tif 000012
【図１１】
2009233336.tif 000013
【図１２】
2009233336.tif 000014
【図１３】
2009233336.tif 000015
【図１４】
2009233336.tif 000016
【図１５】
2009233336.tif 000017
【図１６】
2009233336.tif 000018
【図１７】
2009233336.tif 000019
【図１８】
2009233336.tif 000020